(57)【要約】【課題】ブリスターケースと台紙の固定して容易に外れない構造のスライドブリスターパックを提供する。【解決手段】ブリスターケースと台紙を用い、前記ブリスターケースの左右両端および下端が折り曲げられ、この折り曲げ部に台紙をスライドさせて、ブリスターケースと台紙の間で物品を保持するスライド式ブリスターパックであって、前記ブリスターケースの下端折り曲げ部に保持される前記台紙下端には開口部が形成され、前記開口部を通して前記台紙下端の両側のブリスターケース同士を溶着したスライド式ブリスターパックである。【選択図】図１
2007062739.tif 000002
【特許請求の範囲】
【請求項１】
ブリスターケースと台紙を用い、前記ブリスターケースの左右両端および下端が折り曲げられ、この折り曲げ部に台紙をスライドさせて、ブリスターケースと台紙の間で物品を保持するスライド式ブリスターパックであって、前記ブリスターケースの下端折り曲げ部に保持される前記台紙下端には開口部が形成され、前記開口部を通して前記台紙下端の両側のブリスターケース同士を溶着したスライド式ブリスターパック。
【請求項２】
台紙の開口部が前記台紙下端中央部にある請求項１記載のスライド式ブリスターパック。
【請求項３】
台紙の開口部がブリスターケースの左右両端にある折り曲げ部内に設けられた請求項１記載のスライド式ブリスターパック。
【請求項４】
ブリスターケースと台紙を用い、前記ブリスターケースの左右両端および下端が折り曲げられ、この折り曲げ部に台紙をスライドさせて、ブリスターケースと台紙の間で物品を保持するスライド式ブリスターパックであって、前記ブリスターケースの下端折り曲げ部に保持される前記台紙下端には開口部が形成され、前記台紙と台紙開口部およびブリスターケースをステープルでかしめたスライド式ブリスターパック。
【請求項５】
前記台紙の開口部が前記台紙下端中央部にある請求項４記載のスライド式ブリスターパック。
【請求項６】
前記台紙の開口部がブリスターケースの左右両端にある折り曲げ部内に設けられた請求項４記載のスライド式ブリスターパック。
【発明の詳細な説明】
【技術分野】
【０００１】
本発明は、小物家電商品等の展示、販売を目的としたスライド式ブリスターパックに関するものである。
【背景技術】
【０００２】
スライド式ブリスターパックのブリスターケースと台紙を固定する方法として、実用新案文献１のようにブリスターケースの左右両端に折り曲げ部に対応した位置に舌状の切り起こし片を形成し、台紙において前記切り起こし片と対応する位置に嵌合孔を形成しその孔に切り起こし片を嵌合させることで行う技術が提案されている。
【特許文献１】実開平５−９５８６６号公報
【発明の開示】
【発明が解決しようとする課題】
【０００３】
しかしながら、上記従来の構成では、切り起こし片で台紙を固定しているため、比較的簡単に台紙からブリスターケースがはずれやすく、中に収納した物品がブリスターパックから飛び出してしまうという課題があった。
【課題を解決するための手段】
【０００４】
上記の課題を解決するために、本発明のスライド式ブリスターケースは、ブリスターケースと台紙を用い、前記ブリスターケースの左右両端および下端が折り曲げられ、この折り曲げ部に台紙をスライドさせて、商品を固定、保持するものであって、前記ブリスターケースの下端折り曲げ部に保持される台紙下端には開口部が形成され、この開口部を通して前記台紙下端両側のブリスターケースを溶着したものである。台紙に形成される開口部は台紙下端中央部にあると、より好ましい。
【０００５】
また、台紙に形成される開口部はブリスターケースの左右両端の折り曲げ部内にあっても良い。
【０００６】
また、本発明のスライド式ブリスターパックは、ブリスターケースと台紙を用い、前記ブリスターケースの左右両端および下端が折り曲げられ、この折り曲げ部に台紙をスライドさせて、ブリスターケースと台紙の間で商品を固定、保持するスライド式ブリスターパックであって、前記ブリスターケースの下端折り曲げ部にある台紙の下端には開口部が形成され、前記台紙と台紙開口部、およびブリスターケースをステープルでかしめたスライド式ブリスターパックである。台紙に形成される開口部が台紙下端中央部にあると、より好ましい。
【０００７】
また台紙に形成される開口部はブリスターケースの左右両端にある折り曲げ部内に設けても良い。
【発明の効果】
【０００８】
本発明により、台紙に設けた開口部によりブリスターケースと台紙とを、より強固に固定することができ、ブリスターパックによる物品保持力を格段に向上させることができる。
【発明を実施するための最良の形態】
【０００９】
以下、本発明の実施例を図面を用いて説明する。
【００１０】
図１は本発明のスライド式ブリスターパックを組み立てた状態を示す平面図であり、図２はその組み立て時の状態を示す図であり、ブリスターケース４と台紙１により商品を固定する。台紙の吊り下げ穴２とブリスターケースの吊り下げ穴５はともに同じ形状をしており、組み立てた状態で、商品展示棚に吊り下げるための穴となる。ブリスターケース４と台紙１を固定するために、左右両端の折り曲げ部６，７及び下端の折り曲げ部８が設けられている。ブリスターケース４と台紙１が簡単に外れないように、台紙１下端に開口部３を設け、この開口部を通してブリスターケース４と下端の折り曲げ部８を熱溶着する。図３は同ブリスターパックの図１におけるＡ−Ａ’断面図であり、台紙下端の開口部３を通してブリスターケースの正面部と折り曲げ部とが熱溶着されて台紙１とブリスターケース４が固定される。
【００１１】
図４は本発明のスライド式ブリスターパックの他の例を示すものであり、ステープル９により台紙とブリスターケースとの固定を行なう。図５は同ブリスターパックの図４におけるＢ−Ｂ’断面図であり、ステープル９によって台紙１、台紙下端の開口部３とブリスターケースの正面部と折り曲げ部とを一体にかしめて、台紙とブリスターケースとの固定を行う。
【００１２】
図５において、ステープル９の折り返し幅をｂとし、台紙１下端開口部の横方向の長さをａとしたときに、ｂ＞ａのような関係寸法にすることで実現できる。例として、例えばｂ寸法１２ｍｍ幅のステープルを使用する場合、２ｍｍ×５ｍｍの溶着穴（ａ寸法５ｍｍ）を台紙下端に開ければよい。
【産業上の利用可能性】
【００１３】
本発明に係わるスライド式ブリスターパックは、台紙とブリスターケースを用いるブリスターパックに適用でき、小物家電商品等の展示、販売の目的に広く利用できる。
【図面の簡単な説明】
【００１４】
【図１】本発明のスライド式ブリスターパックを示す平面図
【図２】同ブリスターパックの組み立て時の様子を示す図
【図３】同ブリスターパックのＡ−Ａ’断面図
【図４】本発明の他のスライド式ブリスターパックを示す平面図
【図５】同ブリスターパックのＢ−Ｂ’断面図
【符号の説明】
【００１５】
１  台紙
２  台紙の吊り下げ穴
３  開口部
４  ブリスターケース
５  ブリスターケースの吊り下げ穴
６  ブリスターケースの左端の折り曲げ部
７  ブリスターケースの右端の折り曲げ部
８  ブリスターケースの下端の折り曲げ部
９  ステープル
【図１】
2007062739.tif 000003
【図２】
2007062739.tif 000004
【図３】
2007062739.tif 000005
【図４】
2007062739.tif 000006
【図５】
2007062739.tif 000007